(57)【要約】【課題】ハウジングとドアとの間のパッキンの結露を抑制できる冷蔵装置を提供する。【解決手段】ハウジング２０は、収納室１０を形成する第１の区画Ｄ１と、冷気供給ユニット３０を収容する第２の区画Ｄ２と、冷気供給ユニット３０の制御基板を含む電装機器４０を収容する第３の区画Ｄ３と、第２の区画Ｄ２および第３の区画Ｄ３を繋ぐように上下方向に延びる一対のダクト９４Ｌおよび９４Ｒと、一対のダクト９４Ｌおよび９４Ｒとそれぞれ熱的に接続され、上下方向に延びた一対の第１のドア当たり部１０１Ｌおよび１０１Ｒと、一対の第１のドア当たり部１０１Ｌおよび１０１Ｒを接続するように水平方向に延び、第２の区画Ｄ２と熱的に接続されている第２のドア当たり部１０２と、一対の第１のドア当たり部１０１Ｌおよび１０１Ｒを接続するように水平方向に延び、第３の区画Ｄ３と熱的に接続されている第３のドア当たり部１０３とを備える。【選択図】図３
2009024952.tif 000002
【特許請求の範囲】
【請求項１】
内部に収納室を形成する第１の区画を備えたハウジングと、
前記収納室に冷気を供給するための冷気供給ユニットと、
前記冷気供給ユニットの制御基板を含む電装機器と、
前記収納室にアクセスするためのドアとを有する、冷蔵装置であって、
前記ハウジングは、さらに、
前記第１の区画の上側に設けられ、前記冷気供給ユニットおよび前記電装機器の一方を収容する第２の区画と、
前記第１の区画の下側に設けられ、前記冷気供給ユニットおよび前記電装機器の他方を収容する第３の区画と、
前記第２の区画および前記第３の区画を繋ぐように上下方向に延びる一対のダクトと、
前記一対のダクトとそれぞれ熱的に接続され、上下方向に延びた一対の第１のドア当たり部と、
前記一対の第１のドア当たり部を接続するように水平方向に延び、前記第２の区画と熱的に接続されている第２のドア当たり部と、
前記一対の第１のドア当たり部を接続するように水平方向に延び、前記第３の区画と熱的に接続されている第３のドア当たり部と、を備え、
前記一対の第１のドア当たり部、前記第２のドア当たり部、および前記第３のドア当たり部により、パッキンを介して前記ドアを受ける受け枠構造が形成されている、冷蔵装置。
【請求項２】
請求項１において、前記第２の区画に前記冷気供給ユニットが収容され、前記第３の区画に前記電装機器が収容されている、冷蔵装置。
【請求項３】
請求項２において、前記第２の区画に、排熱を前記ハウジングの外部に排出するための吸引ファンが設けられている、冷蔵装置。
【請求項４】
請求項１ないし３のいずれかにおいて、前記ハウジングは、前記一対のダクトをそれぞれ収納した一対の中空フレームを備え、前記一対の中空フレームの内部の前記収納室側に、それぞれ、断熱材が設けられている、冷蔵装置。
【請求項５】
請求項４において、前記ハウジングは、さらに、少なくとも一部が透光性の前壁と、前方が透光性の一対の側壁とを備え、
前記ドアは、前記ハウジングの後壁の少なくとも一部をなし、
前記一対の中空フレームは、それぞれ、前記一対の側壁の後方をなす、冷蔵装置。
【請求項６】
請求項１ないし５のいずれかにおいて、前記第２のドア当たり部および前記第３のドア当たり部の少なくとも一方は、前記第１の区画に対し他の区画を隔てる壁の端部から前記他の区画の方向にほぼ直角に延びる張出部分である、冷蔵装置。
【請求項７】
請求項１ないし５のいずれかにおいて、前記第２のドア当たり部および前記第３のドア当たり部の少なくとも一方は、前記第１の区画に対し他の区画を隔てる壁の端部から前記第１の区画の方向および前記他の区画の方向に断面がほぼＴ字型に延びる張出部分の前記第１の区画側の部分である、冷蔵装置。
【発明の詳細な説明】
【技術分野】
【０００１】
本発明は、食料品や飲料缶などを冷蔵できる冷蔵装置に関するものである。
【背景技術】
【０００２】
冷蔵庫などの冷蔵装置では、ハウジングとドアとの間に設けられるパッキンの凍結や結露を抑制することが求められている。特許文献１には、庫本体の正面開口部を開閉する開閉扉の縁部に設けたドアパッキンに近接して配設したヒータを備え、同ヒータの発熱作用によりドアパッキンの凍結および結露を防止する冷蔵庫が開示されている。この冷蔵庫は、ヒータを外部電源に接続するためのリード線の取り回しを改善するために、開閉扉にリード線が挿通される筒状の挿通部を設けている。
【特許文献１】特開２０００−３５２７５号公報
【発明の開示】
【発明が解決しようとする課題】
【０００３】
ヒータの発熱作用により、パッキンの凍結や結露を抑制する方法では、エネルギーを消費するとともに、電気代がかかる。また、ヒータを外部電源に接続する必要があるため、ヒータを外部電源に接続するためのリード線の取り回しが面倒であり、パーツが増えるだけでなく、製品の組み付け（組立）作業の工程も増える。特許文献１に記載のように、開閉扉にリード線が挿通される筒状の挿通部を設けるなどの工夫が必要とされる場合もある。
【課題を解決するための手段】
【０００４】
本発明の一態様は、内部に収納室を形成する第１の区画を備えたハウジングと、収納室に冷気を供給するための冷気供給ユニットと、冷気供給ユニットの制御基板を含む電装機器と、収納室にアクセスするためのドアとを有する冷蔵装置である。この冷蔵装置において、ハウジングは、さらに、第１の区画の上側に設けられ、冷気供給ユニットおよび電装機器の一方を収容する第２の区画と、第１の区画の下側に設けられ、冷気供給ユニットおよび電装機器の他方を収容する第３の区画と、第２の区画および第３の区画を繋ぐように上下方向に延びる一対のダクトと、一対のダクトとそれぞれ熱的に接続され、上下方向に延びた一対の第１のドア当たり部と、一対の第１のドア当たり部を接続するように水平方向に延び、第２の区画と熱的に接続されている第２のドア当たり部と、一対の第１のドア当たり部を接続するように水平方向に延び、第３の区画と熱的に接続されている第３のドア当たり部とを備える。一対の第１のドア当たり部、第２のドア当たり部、および第３のドア当たり部により、パッキンを介してドアを受ける受け枠構造が形成されている。
【０００５】
この冷蔵装置によれば、第１の区画の上側に設けられた第２の区画に、冷気供給ユニットおよび電装機器の一方が収容され、第１の区画の下側に設けられた第３の区画に、冷気供給ユニットおよび電装機器の他方が収容されている。冷気供給ユニットおよび電装機器は、それぞれ発熱部品を含むため、第２の区画および第３の区画は、それぞれ、冷気供給ユニットおよび電装機器からの排熱により温度が上昇する。第２の区画および第３の区画を繋ぐように上下方向に延びる一対のダクトを介して、第３の区画から第２の区画に、すなわち、下側から上側に、第３の区画からの空気（排気）を流通させることにより熱を放出できる。あるいは、第２の区画から第３の区画に、すなわち、上側から下側に、第２の区画からの空気（排気）を流通させることにより熱を放出できる。したがって、一対のダクトも排熱により温度が上昇する。
【０００６】
したがって、一対のダクトとそれぞれ熱的に接続するように、上下方向に延びる一対の第１のドア当たり部を形成することにより、一対の第１のドア当たり部を加温でき、パッキンが介在してドアとハウジングが接するドア当たり部の温度が、パッキンが結露したり凍結したりするほど低下することを抑制できる。また、第２の区画および第３の区画も温度が上昇する。このため、一対の第１のドア当たり部を接続するように水平方向に延び、第２の区画と熱的に接続されている第２のドア当たり部を形成することにより、第２のドア当たり部を加温できる。同様に、一対の第１のドア当たり部を接続するように水平方向に延び、第３の区画と熱的に接続されている第３のドア当たり部を形成することにより、第３のドア当たり部を加温できる。
【０００７】
したがって、この冷蔵装置によれば、一対の第１のドア当たり部、第２のドア当たり部、および第３のドア当たり部によって、パッキンを介してドアを受ける受け枠構造（受け枠）を形成することにより、ヒータなどの加熱手段を別途設けることなく、冷気供給ユニットおよび電装機器からの排熱を用いて、受け枠構造とドアとの間のパッキンを温め、パッキンの結露や凍結を抑制できる。
【０００８】
この冷蔵装置によれば、パッキンの結露や凍結を抑制するためにヒータなどの加熱手段を設けなくてよく、排熱を利用できるため、省エネルギー化を図ることができ、電気代を節約できる。それだけではなく、一対の第１のドア当たり部、第２のドア当たり部、および第３のドア当たり部は、パッキンが当たる部分を加熱するとともに、第２の区画および第３の区画の温度を下げる放熱部分として機能し、また、一対のダクトは、第２の区画および第３の区画の放熱を一括して処理するために有効である。
【０００９】
この冷蔵装置では、第２の区画に電装機器を収容し、第３の区画に冷気供給ユニットを収容してもよい。第１の区画に含まれる収納室内を良好に（効率良く）冷却するためには、冷気供給ユニットは第１の区画よりも上側に設けられていることが好ましい。したがって、この冷蔵装置では、第２の区画に冷気供給ユニットを収容し、第３の区画に電装機器を収容することがより好ましい。
【００１０】
この場合、第２の区画に、排熱をハウジングの外部に排出するための吸引ファンを設けることがさらに好ましい。吸引ファンにより、第２の区画内に収容された部品だけでなく、第３の区画内に収容された部品も強制的に空冷できる。すなわち、吸引ファンを駆動させることにより、一対のダクトを介して、第３の区画から第２の区画に、すなわち、下側から上側に、第３の区画において発生した排熱を含む空気（排気）を強制的に流通させることができる。したがって、第３の区画内に収容された電装機器に含まれる部品、例えば、制御基板を空冷できる。また、吸引ファンにより、第２の区画内に収容された部品を空冷できるため、冷気供給ユニットとして、ペルチェ素子ユニットのように、空冷を必要とするようなユニットを用いることができる。
【００１１】
この冷蔵装置において、ハウジングは、一対のダクトをそれぞれ収納した一対の中空フレームを備えることが好ましい。ダクトをハウジングのフレーム（骨格）として用いることができる。この場合、一対の中空フレームは、収納室と近接するため、一対の中空フレームの内部には、収納室側に、それぞれ、断熱材を設けることが好ましい。収納室内の雰囲気（温度）に、一対の中空フレーム内を流通する排熱が影響を与えることを抑制できる。
【００１２】
この冷蔵装置の実施形態の１つは、家庭用あるいは業務用の冷蔵庫である。また、この冷蔵装置の実施形態の他の１つは、冷蔵ショーケース（冷蔵ショーケース装置）である。この冷蔵装置を冷蔵ショーケース装置に適用する場合には、ハウジングは、さらに、少なくとも一部が透光性の前壁と、前方が透光性の一対の側壁とを備え、ドアは、ハウジングの後壁の少なくとも一部をなし、一対の中空フレームは、それぞれ、一対の側壁の後方をなすようにすることが好ましい。顧客は、店舗側から、前方から前壁を介して収納室（陳列室）を視認できるとともに、側方からも一対の側壁（左右の側壁）の前側の部分を介して収納室（陳列室）を視認できる。また、店員は、後方から、ドアを介して、収納室（陳列室）にアクセスできる。
【００１３】
この冷蔵装置によれば、第２のドア当たり部および第３のドア当たり部の少なくとも一方は、第１の区画に対し他の区画（すなわち、第２の区画および／または第３の区画）を隔てる壁の端部から他の区画の方向にほぼ直角に延びる張出部分であることが好ましい。張出部分は、第１の区画に対して他の区画を隔てる壁（収納室の上壁または底壁）と一体であっても、別体であってもよい。第１の区画から他の区画の方向にほぼ垂直に延びる張出部分は、ドア当たり部として良好に機能し、しかも、他の区画の雰囲気により良好に温められる。
【００１４】
また、この冷蔵装置によれば、第２のドア当たり部および第３のドア当たり部の少なくとも一方は、第１の区画に対し他の区画（すなわち、第２の区画および／または第３の区画）を隔てる壁の端部から第１の区画の方向および他の区画の方向に断面がほぼＴ字型に延びる張出部分の第１の区画側の部分であってもよい。Ｔ字型に延びる張出部分は、第１の区画に対して他の区画を隔てる壁と一体であっても、別体であってもよい。断面ほぼＴ字型の張出部分の第１の区画側の部分は、ドア当たり部として良好に機能する。また、この張出部分は、他の区画側にも延びているため、他の区画により温められやすい。
【発明を実施するための最良の形態】
【００１５】
以下に、図面を参照して、本発明の一実施形態について詳しく説明する。図１は、本発明の一実施形態にかかる冷蔵装置を、前方から見た斜視図により示している。図２は、図１の冷蔵装置を、ドアを閉めた状態で後方から見た斜視図により示している。図３は、図１の冷蔵装置を、ドアを開けた状態で後方から見た斜視図により示している。図４は、図１の冷蔵装置を側面図により示している。図５は、図１の冷蔵装置を、収納室を通る縦断面図（側面と平行な断面）により示している。
【００１６】
本例の冷蔵装置１は、いわゆる、卓上タイプの冷蔵ショーケース装置（冷蔵用の収納装置）である。さらに具体的には、この冷蔵ショーケース装置１は、コンビニエンスストアなどの店舗において、レジカウンタなどのカウンタに搭載できるサイズおよび重量となるように設計されている。この冷蔵ショーケース装置１は、食料品などの商品を冷蔵する冷蔵装置（冷却貯蔵庫、冷蔵庫）としての機能と、商品を展示するショーケースとしての機能とを兼ね備えており、収納室１０は、陳列室として機能する。収納室（陳列室）１０内には、商品として、例えば、加工前の冷凍食品や、半加工品などが陳列される。
【００１７】
この冷蔵ショーケース装置１は、内部に収納室を兼ねた陳列室１０を形成する第１の区画Ｄ１を備えたハウジング２０と、陳列室１０に冷気（冷風）を供給するための冷気供給ユニット（冷風供給ユニット）３０と、冷気供給ユニット３０の制御を含む冷蔵ショーケース装置１の制御を行うための制御用の基板４１を含む電装機器４０と、陳列室１０にアクセスするためのドア５０とを有している。
【００１８】
ハウジング２０は、ほぼ全域が透光性の前壁２１と、前側が透光性であって後側が非透光性の左右の側壁２２Ｌおよび２２Ｒと、上方を覆う不透明な上部カバー２４と、下方を覆う不透明な下部カバー（ベースパン）２５とを有し、全体として、上下に長い直方体状に形成されている。前壁２１と左右の側壁２２Ｌおよび２２Ｒとの間には、上下方向に延びる非透光性の左右のピラー２３Ｌおよび２３Ｒが設けられている。
【００１９】
前壁２１と、左右の側壁２２Ｌおよび２２Ｒの前側の部分２２Ｌｆおよび２２Ｒｆとは、それぞれ、２枚の透明板部材２９ａおよび２９ｂを備えた、二重構造となっている。上述のように、本例の冷蔵ショーケース装置１は、商品として加工前の食品などが陳列される。したがって、陳列室１０内は、比較的高湿度であって、汚れが付着しやすい。このため、内側の板部材２９ａとしては、清掃がしやすく、湿度および汚れに強い、ガラス板が採用されている。また、冷蔵ショーケース装置としての断熱性能を向上させるために、外側の板部材２９ｂとしては、断熱性能に優れるアクリル樹脂板が採用されている。
【００２０】
左右の側壁２２Ｌおよび２２Ｒの後側の部分２２Ｌｒおよび２２Ｒｒは、それぞれ、非透光性のフレーム９０Ｌおよび９０Ｒとなっている。フレーム９０Ｌおよび９０Ｒは、中空であり、それぞれ、庫外側（外側）フレーム９１Ｌおよび９１Ｒと、庫内側（内側、陳列室側）フレーム９２Ｌおよび９２Ｒとを有する。中空フレーム９０Ｌおよび９０Ｒの内部の陳列室側には、それぞれ、断熱材９３Ｌおよび９３Ｒが設けられて、これらの断熱材９３Ｌおよび９３Ｒにより、収納室１０と熱的に区別され、上下に伸びた一対のダクト９４Ｌおよび９４Ｒが形成されている（図８および図９参照）。
【００２１】
ハウジング２０の後方にドア５０が設けられている。このドア５０は、陳列室１０を形成する第１の区画Ｄ１の後方開口部２８を開閉するように、ヒンジ５１ａおよび５１ｂ（図７参照）を介してハウジング２０に取り付けられている。ドア５０は、ハウジング２０の後壁の一部をなし、ドア５０を閉めることにより陳列室１０を密閉し、冷気が陳列室１０から流れ出すことを防止できる。ドア５０の中央部には、複層ガラス５２ａが嵌めこまれて、窓５２が形成されている。ドア５０には、取手５４が設けられている。この取手５４を持ってドア５０を開閉することにより、後方から第１の区画Ｄ１の陳列室１０の内部にアクセスでき、陳列室１０内に商品を入れたり、陳列室１０内の商品を出したりできる。ドア５０の内側には、枠状のパッキン（ドアパッキン）５３が設けられており、ドア５０を閉めたときに、ドア５０とハウジング２０との間の気密性が保たれるようになっている。
【００２２】
パッキン５３は、ドア５０を閉めたときに、ドア５０とハウジング２０との間に介在すればよい。したがって、パッキン５３は、ハウジング２０側に設けてもよい。この冷蔵ショーケース装置１では、後述するようにドア５０が当たるハウジング２０の側の温度低下を抑制している。したがって、冷気が漏れることにより結露が発生したり、凍結（氷や霜）が発生しやすいパッキン５３の先端（開閉する側）がハウジング２０に接するような構成が好ましい。
【００２３】
この冷蔵ショーケース装置１では、前方から前壁２１を介して陳列室１０内を視認できるとともに、側方からも左右の側壁２２Ｌおよび２２Ｒの前側の部分２２Ｌｆおよび２２Ｒｆを介して陳列室１０内を視認できる。すなわち、顧客は、店舗側から、前壁２１、および左右の側壁２２Ｌおよび２２Ｒの前側の部分２２Ｌｆおよび２２Ｒｆを介して、陳列室１０内を良好に視認できる。また、この冷蔵ショーケース装置１では、ドア５０の中央部に窓５２が形成されているため、窓５２を介して、後方からも陳列室１０内を視認できる。すなわち、店員は、レジカウンタの内部側から、窓５２を介して、陳列室１０を視認できる。
【００２４】
さらに、ハウジング２０は、第１の区画Ｄ１の上側で上部カバー２４に覆われ、冷気供給ユニット３０を収容する第２の区画Ｄ２を含む。また、第１の区画Ｄ１の下側で下部カバー２５に覆われ、電装機器４０を収容する第３の区画Ｄ３を含む。ハウジング２０は、その内部に、第１の区画Ｄ１に対して第２の区画Ｄ２を隔てる上部隔壁（上板）２６と、第１の区画Ｄ１に対して第３の区画Ｄ３を隔てる下部隔壁（底板）２７とを備えている。上部隔壁２６は、ハウジング２０内に、略水平に配置されている。また、下部隔壁２７は、ハウジング２０内に、前側が後側よりも低い位置となるように傾斜した状態で配置されている。
【００２５】
すなわち、冷蔵ショーケース（冷蔵ショールーム、冷蔵陳列室）１０を形成する第１の区画Ｄ１は、前壁２１と、左右の側壁２２Ｌおよび２２Ｒと、上部隔壁２６と、下部隔壁２７とにより規定され、後方開口部２８は、ドア５０により開閉される。第２の区画Ｄ２は、上部カバー２４と、陳列室１０の天井を兼ねる上部隔壁２６とにより囲まれている（規定されている）。第３の区画Ｄ３は、下部カバー２５と、陳列室１０の床を兼ねる下部隔壁２７とにより囲まれている（規定されている）。
【００２６】
第１の区画Ｄ１の内部（陳列室）１０内には、陳列棚１１ａ〜１１ｃが上下に配置されている。陳列棚１１ａ〜１１ｃは、それぞれ、収納され、展示される商品が見やすいように、前側が後側よりも低い位置となるように傾斜した状態で、陳列室１０内に配置されている。
【００２７】
第２の区画Ｄ２の内部は、陳列室１０の環境を制御するための機械室であり、陳列室１０内に冷気を供給するための冷気供給ユニット３０と、陳列室１０内を照明するための照明装置６０と、これらユニットからの排熱をハウジング２０の外部に排出するための吸引ファン７０ａ〜７０ｄとが収容されている。
【００２８】
照明装置６０は、蛍光灯６１を有している。蛍光灯６１は、左右方向に延びるように、第２の区画Ｄ２の内部の前側に設けられている。蛍光灯６１の上方には、リフレクタ６２が設けられている。蛍光灯６１の下側には、上部隔壁２６の一部となる、透明な複層板ガラス窓６３が設けられている。照明装置６０は、複層板ガラス窓６３を介して、陳列室１０内を照明する。
【００２９】
冷気供給ユニット３０は、冷却ユニット３１と、冷風を陳列室１０へ供給するための送風ファン（例えば、シロッコファン、クロスフローファン、あるいはボックスファン）３２ａおよび３２ｂを備えている。冷却ユニット３１としては、例えば、ペルチェ素子ユニットを用いることができる。ペルチェ素子ユニット３１は、ペルチェ素子３４と、ペルチェ素子３４の吸熱側と接続される第１のフィンユニット３５ａと、ペルチェ素子３４の発熱側と接続される第２のフィンユニット３５ｂとを備えている。
【００３０】
第２の区画Ｄ２の内部は、断熱材８１により、送風経路Ｒ１と、排熱経路Ｒ２と、照明装置６０が設けられている空間とに仕切られている。送風経路Ｒ１は、冷気供給ユニット３０から出力された冷気を陳列室１０に流通させるための経路であり、上部隔壁２６の側に配置されている。排熱経路（排気経路）Ｒ２は、冷気供給ユニット３０から放出された熱をハウジング２０の外部に排気するための経路であり、上部カバー２４の側に配置されている。
【００３１】
送風経路Ｒ１には、ペルチェ素子３４の吸熱側と接続された第１のフィンユニット３５ａが露出している。送風経路Ｒ１は、上部隔壁２６に設けられた第１および第２の開口２６ａおよび２６ｂを介して、陳列室１０と連通している。第１および第２の開口２６ａおよび２６ｂと対向するように、送風ファン３２ａおよび３２ｂがそれぞれ配置されている。このため、送風ファン３２ａおよび３２ｂを駆動させることにより、図５に矢印Ａ１に示すような風の流れが形成され、送風経路Ｒ１を通る空気は、第１のフィンユニット３５ａにより冷却される。冷気供給ユニット３０から出力された冷気（冷却ユニット３１により冷却された空気）は、第２の開口２６ｂから陳列室１０内に導入（出力）され、陳列室１０内を上側から下側、下側から上側へと循環し、陳列室１０内を空冷した後、第１の開口２６ａを通って回収され、再び、送風経路Ｒ１により冷却される。本例では、陳列室１０内が５℃前後に保たれるように、制御基板４１により制御されている。
【００３２】
排熱経路Ｒ２には、ペルチェ素子３４の発熱側と接続された第２のフィンユニット３５ｂが露出している。上部カバー（上壁）２４には、排熱経路Ｒ２内を換気し、排熱を外部に放出するために、格子状の２つの吸気口２４ａと格子状の４つの排気口２４ｂとが設けられている。上部カバー２４の４つの排気口２４ｂと対向するように、４つの排熱用の吸引ファン（例えば、ボックスファン）７０ａ〜７０ｄが設けられている。
【００３３】
このため、排熱用のファン（排風ファン、排出型のファン）７０ａ〜７０ｄを駆動させることにより、図５に矢印Ａ２に示すような風の流れが形成され、上部カバー２４の吸気口２４ａから導入された空気は、排熱経路Ｒ２内を流通し、第２のフィンユニット３５ｂを冷却し、上部カバー２４の排気口２４ｂから、外部に放出される。吸引ファン７０ａ〜７０ｄを採用しているので、排熱経路Ｒ２内は負圧となる。
【００３４】
第３の区画Ｄ３の内部は、電気室であり、冷気供給ユニット３０の制御用および電力供給用の基板４１を含む電装機器４０が収容されている。下部隔壁２７の裏側には断熱材８２が設けられ、第３の区画Ｄ３からの熱が、陳列室１０に伝わらない、あるいは伝達しにくいようになっている。また、ハウジング２０の後部には、基板４１と電気的に接続された操作パネル４５が露出している。操作パネル４５を操作することにより、陳列室１０内の温度などを調整できる。
【００３５】
さらに、第３の区画Ｄ３の内部には、第１のフィンユニット３５ａの下側に設けられたドレン受け（図示せず）から排水されたドレンを回収するためのドレンタンク４８が収容されている。上部隔壁２６のドレン受けから第３の区画Ｄ３の内部に収容されたドレンタンク４８に向けて、ドレンパイプ４９が延びている。
【００３６】
図６は、本例の冷蔵ショーケース装置１を、中空フレーム９０Ｒの内部に設けられた断熱材９３Ｒの厚み方向中央を通るように、一部切り欠いた側面図（一部断面図）により示している。図７は、本例の冷蔵ショーケース装置１を、中空フレーム９０Ｒを形成する庫内側フレーム９２Ｒの表面を通るように、一部切り欠いた側面図（一部断面図）により示している。図８は、本例の冷蔵ショーケース装置１を、図４中のVIII-VIII線に沿って切断して示している。図９は、本例の冷蔵ショーケース装置１を、図４中のIX-IX線に沿って切断して示している。図１０は、図７中の円Xで囲まれた領域を拡大して示している。図１１は、図７中の円XIで囲まれた領域を拡大して示している。なお、図９では、陳列棚１１ａ〜１１ｃを省略して示している。
【００３７】
ドア（扉）５０は、枠状の外側板５０ａと枠状の内側板５０ｂとにより、外形が形成されている。外側板５０ａと内側板５０ｂとの間に、窓５２を形成する複層ガラス５２ａが挟み込まれている。外側板５０ａは、その周囲が陳列室１０側に曲げられてなる縁部５０ｃを含み、内側板５０ｂは、その周囲が外側に曲げられてなる縁部５０ｄを含む。外側板５０ａの内側に内側板５０ｂが嵌めこまれており、外側板５０ａの縁部５０ｃと内側板５０ｂの縁部５０ｄとの間にパッキン５３が挟み込まれている。なお、図８中の符号８９ａおよび８９ｂは、それぞれ、ドア５０の内部の隙間を埋める断熱材およびパッキンである。パッキン８９ａは、外側板５０ａと内側板５０ｂとの間の隙間を埋めるパッキンであり、パッキン８９ｂは、窓５２を形成する複層ガラス５２ａと外側板５０ａおよび内側板５０ｂとの間を埋めるパッキンである。また、図８中の符号８９ｃは、窓５２を形成する複層ガラス５２ａのスペーサである。
【００３８】
左右の側壁２２Ｌおよび２２Ｒの一対のフレーム９０Ｌおよび９０Ｒは、それぞれ、庫外側フレーム９１Ｌおよび９１Ｒと、庫内側フレーム９２Ｌおよび９２Ｒとを有し、中空に形成されている。この一対の中空フレーム９０Ｌおよび９０Ｒの内部には、それぞれ、その前側および収納室側に寄せて、断面略Ｌ字型の断熱材９３Ｌおよび９３Ｒが設けられている。したがって、一対の中空フレーム９０Ｌおよび９０Ｒの後側は空洞で、第２の区画Ｄ２および第３の区画Ｄ３を繋ぐように上下方向に延びる一対のダクト９４Ｌおよび９４Ｒとなっている。これらダクト９４Ｌおよび９４Ｒは、それぞれ、第２の区画Ｄ２の排熱経路Ｒ２と連通している。また、これらダクト９４Ｌおよび９４Ｒは、それぞれ、第３の区画Ｄ３の内部と連通している（図９参照）。
【００３９】
したがって、吸引ファン７０ａ〜７０ｄを駆動させることにより、図６および図９に矢印Ａ３で示すような風の流れが形成される。このため、第３の区画Ｄ３の内部は一対のダクト９４Ｌおよび９４Ｒを介して換気され、第３の区画Ｄ３において発生した熱は、第２の区画Ｄ２の排熱経路Ｒ２を介して、上部カバー２４の排気口２４ｂから、外部に放出される。したがって、第３の区画Ｄ３内に収容された電装機器４０、例えば、制御基板４１は空冷され、ダクト９４Ｌおよび９４Ｒは、第３の区画Ｄ３内に収容された電装機器４０の発熱により加温される。なお、一対の中空フレーム９０Ｌおよび９０Ｒの内部には、それぞれ、その前側と収納室側とに、断熱材９３Ｌおよび９３Ｒが設けられている。このため、一対のダクト９４Ｌおよび９４Ｒが加温されても、陳列室１０内および左右の側壁２２Ｌおよび２２Ｒの前側の部分２２Ｌｆおよび２２Ｒｆ（透明板部材２９ａおよび２９ｂ）に伝わらない、あるいは伝達しにくいようになっている。
【００４０】
左右の側壁２２Ｌおよび２２Ｒの後側の部分２２Ｌｒおよび２２Ｒｒにおいて、一対のダクト９４Ｌおよび９４Ｒを構成する庫外側フレーム９１Ｌおよび９１Ｒは、それぞれ、その後端部が中央側に折り曲げられて、ハウジング２０の後壁の一部を形成している。また、庫外側フレーム９１Ｌおよび９１Ｒの後端部の中央側に折り曲げられた部分９１Ｌａおよび９１Ｒａは、パッキン５３を介してドア５０の両側部が接触する、上下方向に延びる一対の第１のドア当たり部１０１Ｌおよび１０１Ｒとなる。庫外側フレーム９１Ｌおよび９１Ｒは、それぞれ、熱伝達の比較的良いステンレススチール（ＳＵＳ）製等の板金であり、一対のダクト９４Ｌおよび９４Ｒを通過する温風により、ダクト９４Ｌおよび９４Ｒとともに加熱される。したがって、庫外側フレーム９１Ｌおよび９１Ｒの後端部の折り曲げられた部分９１Ｌａおよび９１Ｒａは、一対のダクト９４Ｌおよび９４Ｒとそれぞれ熱的に接続し、一対の第１のドア当たり部１０１Ｌおよび１０１Ｒとして良好に機能し、しかも、一対のダクト９４Ｌおよび９４Ｒ内を流通する排気（排熱）により温められる。
【００４１】
一方、庫内側フレーム９２Ｌおよび９２Ｒは、熱伝達が比較的悪い樹脂製であり、パッキン８８を介して、庫外側フレーム９１Ｌおよび９１Ｒに接している。したがって、庫外側フレーム９１Ｌおよび９１Ｒからは、内側の壁（陳列室１０内に露出する壁）９２Ｌおよび９２Ｒへは、熱が比較的伝達しにくくなっている。
【００４２】
ハウジング２０は、さらに、一対の第１のドア当たり部１０１Ｌおよび１０１Ｒを接続するように水平方向に延び、第２の区画Ｄ２と熱的に接続されている第２のドア当たり部１０２と、一対の第１のドア当たり部１０１Ｌおよび１０１Ｒを接続するように水平方向に延び、第３の区画Ｄ３と熱的に接続されている第３のドア当たり部１０３とを備えている。これらの一対の第１のドア当たり部１０１Ｌおよび１０１Ｒ、第２のドア当たり部１０２、および第３のドア当たり部１０３により、パッキン５３を介してドア５０を受ける受け枠構造（受け枠）１１０が形成されている（図３参照）。
【００４３】
図１０に拡大して示すように、本例のショーケース装置１では、第１の区画Ｄ１に対して第２の区画Ｄ２を隔てる壁（上部隔壁）２６の後端部が、第２の区画Ｄ２の方向（上方）にほぼ直角に折り曲げられて、第２の区画Ｄ２に沿って延びる張出部分２６ｃが形成されており、この張出部分２６ｃが、第２のドア当たり部１０２となっている。張出部分２６ｃは、排熱経路Ｒ２の下側を規定する断熱材８１の後端部に沿い、ほぼ垂直に延びて、第２の区画Ｄ２の排熱経路Ｒ２に至っている。したがって、張出部分２６ｃは、第２のドア当たり部１０２として良好に機能し、しかも、第２の区画Ｄ２の排熱経路Ｒ２と熱的に接続されているため、第２の区画Ｄ２の排熱経路Ｒ２の雰囲気（熱）により良好に温められる。なお、張出部分２６ｃの先端部は、さらに、水平方向後側に折り曲げられて、ドア５０の一方のヒンジ５１ａを受けるヒンジ受け２６ｈとなっている。
【００４４】
図１１に拡大して示すように、本例のショーケース装置１では、第１の区画Ｄ１に対して第３の区画Ｄ３を隔てる壁（下部隔壁）２７の後端部に、第１の区画Ｄ１の方向および第３の区画Ｄ３の方向に断面がほぼＴ字型に延びる張出部分２７ｃが形成されている。この張出部分２７ｃの第１の区画側の部分２７ｄが、第３のドア当たり部１０３となっている。張出部分２７ｃは、第１の区画側の部分２７ｄと第３の区画側の部分２７ｅとを有して、断面がほぼＴ字型となっている。このため、張出部分２７ｃの第１の区画側の部分２７ｄは、ほぼ垂直に延び、第３のドア当たり部１０３として良好に機能する。一方、張出部分２７ｃの第３の区画側の部分２７ｅは、断熱材８２の後端部に沿って第３の区画Ｄ３の内部に至る。したがって、張出部分２７ｃの第１の区画側の部分２７ｄは、第３の区画側の部分２７ｅを介して第３の区画Ｄ３の雰囲気（熱）により温められる。なお、張出部分２７ｃの第３の区画側の部分２７ｅの先端は、さらに、上方に開放する断面略コ字型（Ｃ字型）に折り曲げられて、ドア５０の他方のヒンジ５１ｂを受けるヒンジ受け２７ｈとなっている。ヒンジ受け２７ｈからは、下方に向かって、下部隔壁２７を受け部２５と接合させるための取付部（係合部）２７ｉが延びている。
【００４５】
この冷蔵ショーケース装置１によれば、第１の区画Ｄ１の上側に設けられた第２の区画Ｄ２に、冷気供給ユニット３０が収容され、第１の区画Ｄ１の下側に設けられた第３の区画Ｄ３に、電装機器４０が収容されている。冷気供給ユニット３０のペルチェ素子ユニット３１からの熱は、第２の区画Ｄ２の排熱経路Ｒ２に放出される。また、電装機器４０の制御基板４１からの熱は第３の区画Ｄ３に放出される。このショーケース装置１では、第２のドア当たり部１０２を、第２の区画Ｄ２の排熱経路Ｒ２における排熱を用いて温める（加温する）ことができるとともに、第３のドア当たり部１０３を、基板４１の排熱を用いて温める（加温する）ことができるようになっている。
【００４６】
また、この冷蔵ショーケース装置１によれば、第２の区画Ｄ２および第３の区画Ｄ３を繋ぐように上下方向に延びる一対のダクト９４Ｌおよび９４Ｒが、一対の中空フレーム９０Ｌおよび９０Ｒ内にそれぞれ収納されている。このため、これら一対のダクト９４Ｌおよび９４Ｒを介して、第３の区画Ｄ３を換気でき、第３の区画Ｄ３において発生した熱（主として基板４１からの熱）を第２の区画Ｄ２を介して放出できる。したがって、第３の区画Ｄ３に内蔵された基板４１などを空冷できるとともに、一対のダクト９４Ｌおよび９４Ｒと熱的に接続された一対の第１のドア当たり部１０１Ｌおよび１０１Ｒを、基板４１などからの排熱を用いて温める（加温する）ことができるようになっている。
【００４７】
この冷蔵ショーケース装置１では、一対の第１のドア当たり部１０１Ｌおよび１０１Ｒ、第２のドア当たり部１０２、および第３のドア当たり部１０３によって、パッキン５３を介してドア５０を受ける受け枠構造（受け枠）１１０が形成されている。このため、受け枠構造１１０は、排熱により温められ、それに接することによりパッキン５３の先端も温められる。したがって、この冷蔵ショーケース装置１によれば、ヒータなどの加熱手段を別途設けることなく、冷気供給ユニット３０および電装機器４０からの排熱を用いてパッキン５３を温め、パッキン５３の結露や凍結を抑制することができる。
【００４８】
しかも、この冷蔵ショーケース装置１によれば、冷気供給ユニット３０を第１の区画Ｄ１よりも上側に設けているため、冷気供給ユニット３０により、第１の区画Ｄ１に含まれる陳列室１０内を効率良く冷却できる。また、冷気供給ユニット３０と電装機器４０とを上下に分けて収納しているため、ハウジング２０の上側の厚みを薄くすることができる。また、このようにすることにより、陳列室１０が相対的に上方に位置するようになる。したがって、冷蔵ショーケース装置１をカウンタに置いたときに、陳列室１０の位置を顧客の目の高さと合わせやすい。
【００４９】
また、この冷蔵ショーケース装置１によれば、冷却ユニット３１としてペルチェ素子ユニットを用いているため、第２の区画Ｄ２には、排熱をハウジング２０の外部に排出するための吸引ファン７０ａ〜７０ｄが設けられる。これら吸引ファン７０ａ〜７０ｄにより、一対のダクト９４Ｌおよび９４Ｒを介して、第３の区画Ｄ３から第２の区画Ｄ２に、第３の区画Ｄ３において発生した排熱を含む空気（排気）を強制的に流通させることができる。したがって、第３の区画Ｄ３内に収容された電装機器４０に含まれる部品、例えば、制御基板４１を、送風手段を別途設けることなく、空冷できる。
【００５０】
なお、上記実施形態では、冷気供給ユニットが備える冷却ユニットとして、ペルチェ素子ユニットを用いたが、冷却ユニットは、これに限定されるものではない。冷却ユニットとしては、コンプレッサを備えた冷却ユニットなどを用いてもよい。
【００５１】
また、上記実施形態では、第２のドア当たり部が、第１の区画に対し第２の区画を隔てる壁の端部から第２の区画の方向にほぼ直角に延びる張出部分となっているが、第３のドア当たり部が、第１の区画に対し第３の区画を隔てる壁の端部から第３の区画の方向にほぼ直角に延びる張出部分となっていてもよい。また、上記実施形態では、第３のドア当たり部が、第１の区画に対し第３の区画を隔てる壁の端部から第１の区画の方向および第３の区画の方向に断面がほぼＴ字型に延びる張出部分の第１の区画側の部分となっているが、第２のドア当たり部が、第１の区画に対し第２の区画を隔てる壁の端部から第１の区画の方向および第２の区画の方向に断面がほぼＴ字型に延びる張出部分の第１の区画側の部分となっていてもよい。第２のドア当たり部および第３のドア当たり部は、第１の区画に対し第２の区画を隔てる壁の端部の張出部分、第１の区画に対し第３の区画を隔てる壁の端部の張出部分に限定されるものではない。第２のドア当たり部および第３のドア当たり部は、一対の第１のドア当たり部を接続するように水平方向に延びる部分とすることができる。
【図面の簡単な説明】
【００５２】
【図１】本発明の一実施形態にかかる、冷蔵装置としての冷蔵ショーケース装置を、前方から見た斜視図。
【図２】図１の冷蔵ショーケース装置を、ドアを閉めた状態で、後方から見た斜視図。
【図３】図１の冷蔵ショーケース装置を、ドアを開けた状態で、後方から見た斜視図。
【図４】図１の冷蔵ショーケース装置を示す側面図。
【図５】図１の冷蔵ショーケース装置を示す縦断面図。
【図６】図１の冷蔵ショーケース装置を、中空フレームの内部に設けられた断熱材の厚み方向中央を通るように、一部切り欠いて示す側面図。
【図７】図１の冷蔵ショーケース装置を、中空フレームを形成する庫内側フレームの表面を通るように、一部切り欠いて示す側面図。
【図８】図４中のVIII-VIII線に沿って切断して示す断面図。
【図９】図４中のIX-IX線に沿って切断して示す断面図。
【図１０】図７中の円Xで囲まれた領域を拡大して示す図。
【図１１】図７中の円XIで囲まれた領域を拡大して示す図。
【符号の説明】
【００５３】
１    冷蔵ショーケース装置（冷蔵装置）、  １０    陳列室（収納室）
２０    ハウジング、  ２１    前壁、  ２２Ｌ、２２Ｒ    側壁
２２Ｌｆ、２２Ｒｆ    側壁の前側の部分、２２Ｌｒ、２２Ｒｒ    側壁の後側の部分
２６    上部隔壁（第１の区画に対して第２の区画を隔てる壁）
２６ｃ    上部隔壁から張り出す張出部分
２７    下部隔壁（第１の区画に対して第３の区画を隔てる壁）
２７ｃ    下部隔壁から張り出す張出部分
２７ｄ    下部隔壁から張り出す張出部分の第１の区画側の部分
３０    冷気供給ユニット、  ４０    電装機器、  ４１    制御基板
５０    ドア、  ５３    パッキン
７０ａ、７０ｂ、７０ｃ、７０ｄ    吸引ファン、  ９０Ｌ、９０Ｒ    中空フレーム
９３Ｌ、９３Ｒ    断熱材、  ９４Ｌ、９４Ｒ    ダクト
１０１Ｌ、１０１Ｒ    第１のドア当たり部、  １０２    第２のドア当たり部
１０３    第３のドア当たり部、  １１０    受け枠構造
Ｄ１    第１の区画、  Ｄ２    第２の区画、  Ｄ３    第３の区画
【図１】
2009024952.tif 000003
【図２】
2009024952.tif 000004
【図３】
2009024952.tif 000005
【図４】
2009024952.tif 000006
【図５】
2009024952.tif 000007
【図６】
2009024952.tif 000008
【図７】
2009024952.tif 000009
【図８】
2009024952.tif 000010
【図９】
2009024952.tif 000011
【図１０】
2009024952.tif 000012
【図１１】
2009024952.tif 000013